(57)【要約】【課題】  鉄筋の回転を防止し安定した状態で支持することができるものであって、複雑な工程を要することなく製造できる鉄筋支持具を提供する。【解決手段】  本発明にかかる鉄筋支持具は、鉄筋(12)の外周に弾着し径方向に挟み込む腕部(1)と、スペーサ(13)の外周に適合する定着部(2)とを有する。該定着部は、切込みにより形成されて該腕部方向へ起立した爪片(3)を有する。該爪片は該腕部による該鉄筋の係合仮想曲面(S)の内側に入り込んでいる。他の態様では、第一、第二の鉄筋(12,15)を各別に径方向に挟み込む第一及び第二の腕部(21,22)を、本体部(20)の表側及び裏側に各別に有する。該本体部は、切込みにより形成されて、該第一、第二の腕部それぞれの方向へ起立した第一及び第二の爪片(23,24)を有する。該第一、第二の爪片は、該両腕部による該鉄筋の係合仮想曲面(S1,S2)のそれぞれの内側に入り込んでおり、該両係合仮想曲面は交差する位置関係にある。【選択図】図１
2006070430.tif 000002
【特許請求の範囲】
【請求項１】
鉄筋(12)の外周に弾着し該鉄筋(12)を径方向に挟み込む腕部(1)と、該腕部(1)と反対方向に湾曲しスペーサ(13)の外周に適合する定着部(2)とを有し、
該定着部(2)は、切込みにより形成されて該腕部(1)方向へ起立した爪片(3)を有し、
該爪片(3)は、該腕部(1)による該鉄筋(12)の係合仮想曲面(S)の内側に入り込んでいることを特徴とする鉄筋支持具。
【請求項２】
該腕部(1)は対をなし、該定着部(2)を挟んで、該鉄筋(12)の長手方向に間隔を開けて配置されている請求項１に記載の鉄筋支持具。
【請求項３】
該定着部(2)は対をなし、該腕部(1)を挟んで、該鉄筋(12)の長手方向に間隔を開けて配置されている請求項１に記載の鉄筋支持具。
【請求項４】
該爪片(3)は尖端部を備えている請求項１〜３の何れか一つの項に記載の鉄筋支持具。
【請求項５】
本体部(20)の表側に、第一の鉄筋(12)の外周に弾着し該第一の鉄筋(12)を径方向に挟み込む第一の腕部(21)を、該本体部(20)の裏側に、第二の鉄筋(15)の外周に弾着し該第二の鉄筋(15)を径方向に挟み込む第二の腕部(22)を有し、
該本体部(20)は、切込みにより形成されて、該第一の腕部(21)方向へ起立した第一の爪片(23)と、該第二の腕部(22)方向へ起立した第二の爪片(24)を有し、
該第一の爪片(23)は、該第一の腕部(1)による該第一の鉄筋(12)の係合仮想曲面(S1)の内側に入り込んでおり、
該第二の爪片(23)は、該第二の腕部(1)による該第二の鉄筋(12)の係合仮想曲面(S2)の内側に入り込んでおり、
該第一の鉄筋(12)の係合仮想曲面(S1)と該第二の鉄筋(15)の係合仮想曲面(S2)は交差する位置関係にあることを特徴とする鉄筋支持具。
【請求項６】
該第一及び第二の腕部(21,22)と、該第一及び第二の爪片(23,24)は、該本体部(20)外周に周方向９０度間隔で設けた各突出部(25)を切込みにより分割して形成した複数の片部(25a,25b,25c)が起立されたものである請求項５に記載の鉄筋支持具。
【請求項７】
該複数の片部(25a,25b,25c)は三片で、中央の該片部(25b)が該爪片(23,24)を形成する請求項６に記載の鉄筋支持具。
【請求項８】
該複数の片部(25a,25b,25c)は三片で、中央の該片部(25b)が該腕部(21,22)を形成する請求項６に記載の鉄筋支持具。
【請求項９】
該爪片(23,24)は尖端部を備えている請求項５〜８の何れか一つの項に記載の鉄筋支持具。
【発明の詳細な説明】
【技術分野】
【０００１】
本発明は、鉄筋コンクリートを構成する鉄筋を、コンクリートの打設に際し固定しておくための鉄筋支持具に関するものである。
【背景技術】
【０００２】
鉄筋コンクリートを形成する際、必要な被り厚を設けるために鉄筋と型枠の間隔を保つスペーサが広く一般に使用されているが、このスペーサについては、鉄筋と型枠の間隔を安定した状態で保つための様々な型式のものが提案されている。そして、そのようなスペーサとして、例えば、実開平８−１１８６号公報に開示された鉄筋スペーサがある。
【０００３】
上記鉄筋スペーサは、スペーサ本体と鉄筋支持具とを備えたものとなっている。そして、鉄筋支持具はそのベース部によりスペーサ本体の肩部に弾性的かつ着脱可能に嵌合するとともに、そのフック部に鉄筋が弾性的かつ着脱可能に嵌合される構造となっている。そのため、鉄筋はフック部に嵌合され、上記鉄筋スペーサと一体化し、常に安定した状態で支承されることになる。
【特許文献１】実開平８−１１８６号公報
【発明の開示】
【発明が解決しようとする課題】
【０００４】
しかしながら、上記鉄筋スペーサに使用されている鉄筋支持具は、鉄筋に対し着脱が自在でありながら鉄筋を安定に支持するために、鉄筋を円弧状の腕で挟持する構造にならざるを得なかった。そのため、鉄筋の径方向、すなわち鉄筋から離れる方向に対しては大きな支持力を得ることができるが、鉄筋の周方向、すなわち軸線を中心とする回転に対しては大きな支持力を得ることができず、支持している鉄筋にトルクがかかると回転してしまい、組み立て作業等に支障を起こす問題があった。
【０００５】
鉄筋の回転については、鉄筋を支持する腕に回り止め用の突起を設けて対処する方法も採られているが、この方法の場合、鉄筋を把持する機能を維持しながら突起を設けるためにはその形状が限定され、製造工程が複雑になる問題があった。
【０００６】
そこで、本発明の目的は、鉄筋の回転を防止し安定した状態で支持することができるものであって、複雑な工程を要することなく製造できる鉄筋支持具を提供することにある。
【課題を解決するための手段】
【０００７】
本発明にかかる第一の鉄筋支持具は、鉄筋の外周に弾着し該鉄筋を径方向に挟み込む腕部と、該腕部と反対方向に湾曲しスペーサの外周に適合する定着部とを有する。該定着部は、切込みにより形成されたて該腕部方向へ起立した爪片を有し、該爪片は、該腕部による該鉄筋の係合仮想曲面の内側に入り込んでいる。
【０００８】
該腕部は対をなし、該定着部を挟んで、該鉄筋の長手方向に間隔を開けて配置されていてもよい。
【０００９】
該定着部は対をなし、該腕部を挟んで、該鉄筋の長手方向に間隔を開けて配置されていてもよい。
【００１０】
該爪片は尖端部を備えているものであってもよい。
【００１１】
本発明にかかる第二の鉄筋支持具は、本体部の表側に、第一の鉄筋の外周に弾着し該第一の鉄筋を径方向に挟み込む第一の腕部を、該本体部の裏側に、第二の鉄筋の外周に弾着し該第二の鉄筋を径方向に挟み込む第二の腕部を有する。また、該本体部は、切込みにより形成されて、該第一の腕部方向へ起立した第一の爪片と、該第二の腕部方向へ起立した第二の爪片を有する。該第一の爪片は、該第一の腕部による該第一の鉄筋の係合仮想曲面の内側に入り込んでおり、該第二の爪片は、該第二の腕部による該第二の鉄筋の係合仮想曲面の内側に入り込んでいる。更に、該第一の鉄筋の係合仮想曲面と該第二の鉄筋の係合仮想曲面は交差する位置関係にある。
【００１２】
該第一及び第二の腕部と、該第一及び第二の爪片は、該本体部外周に周方向９０度間隔で設けた各突出部を切込みにより分割して形成した複数の片部(25a,25b,25c)を起立させたものであってもよい。
【００１３】
該複数の片部は三片で、中央の該片部が該爪片を形成するものであってもよい。
【００１４】
該複数の片部は三片で、中央の該片部が該腕部を形成するものであってもよい。
【００１５】
該爪片は尖端部をそなえているものであってもよい。
【発明の効果】
【００１６】
本発明にかかる第一の鉄筋支持具によれば、定着部における湾曲部分の弾性力を利用してスペーサに取り付けた状態とした後、腕部に鉄筋を嵌めその腕部で鉄筋を挟むことにより、鉄筋を支持することができる。この際、鉄筋の外周面は、腕部による係合仮想曲面と一致するため、その係合仮想曲面の内側に入り込んでいる爪片は鉄筋の外周面に弾着することになる。そのため、鉄筋の径方向への動きは腕部と爪片で、また鉄筋の周方向への回転は爪片で規制され、鉄筋を安定した状態で支持することができる。なお、爪片は、腕部と別体となっており、鉄筋の径方向への動きを規制するための支持力を腕部とは別に独自に備えるため、周方向への回転を規制するのみならず、径方向への動きの規制にも寄与するものとなる。また、爪片は、腕部とは別に、鉄筋の支持に直接関与しない定着部に形成されることから、その形状に制限はなく、しかも切込みにより簡単に形成することができる。従って、本発明にかかる鉄筋支持具は、鉄筋の回転を防止し安定した状態で支持することができるものでありながら、複雑な工程を要することなく、極めて容易に製造できる。
【００１７】
腕部が対をなし、定着部を挟んで鉄筋の長手方向に間隔を開けて配置されていれば、長手方向に離れた二点で鉄筋を挟持できる。そのため、一方の挟持点を中心とする回転が、他方の挟持点において鉄筋を挟持する腕部で規制され、一点で挟持する場合よりも、挟持点を中心とする回転に対する安定性が向上する。
【００１８】
定着部が対をなし、腕部を挟んで、鉄筋の長手方向に間隔を開けて配置されていれば、スペーサを二点で挟持することができるとともに、爪片の数を増すことができる。そのため、スペーサに関しては上記の通り挟持点を中心とする回転に対する安定性が向上し、鉄筋に関しては周方向の回転に対する安定性を向上させることができる。なお、定着部を対にすると鉄筋を一点で挟持することになるが、スペーサの厚み（鉄筋長手方向の寸法）が大きければ腕部を鉄筋長手方向に長いものとすることで、挟持点を中心とする回転に対する安定性を損なうことはない。
【００１９】
爪片が尖端部を備えていれば、鉄筋の周方向への回転を規制する力を一点に集中させることができる。
【００２０】
本発明にかかる第二の鉄筋支持具によれば、本体部の表及び裏の両側にそれぞれ形成された第一の腕部及び第二の腕部に鉄筋を嵌め、それら腕部で鉄筋を挟むことにより、交差する鉄筋を支持することができる。この際、第一及び第二の鉄筋の外周面は、腕部による係合仮想曲面とそれぞれ一致するため、それら係合仮想曲面の内側に入り込んでいる第一及び第二の爪片はそれぞれ第一及び第二の鉄筋の外周面に弾着することになる。そのため、鉄筋の径方向への動きは腕部と爪片で、また鉄筋の周方向への回転は爪片で規制され、鉄筋を安定した状態で支持することができる。また、鉄筋の回転を防止する爪片は、腕部とは別に独自に本体部から起立させたものであるため、形状に制限はなく、しかも切込みにより簡単に形成することができる。従って、本発明にかかる鉄筋支持具は、交差する鉄筋の回転を防止し安定した状態で支持することができるものでありながら、複雑な工程を要することなく、極めて容易に製造できる。
【００２１】
本発明にかかる第二の鉄筋支持具は、例えば、本体部外周に周方向９０度間隔で設けた各突出部を切込みにより分割し、複数の片部を形成し、これら片部を起立させる方法で、極めて容易に製造できる。この際、複数の片部を三片とすれば、安定な支持に必要最小限の構成とすることができる。そして、中央の片部が爪片を形成するものであれば、腕部が対をなし、爪片を挟んで鉄筋の長手方向に間隔を開けて配置され、長手方向に離れた二点で鉄筋を挟持できる。そのため、上記のように、一点で挟持する場合よりも、挟持点を中心とする回転に対する安定性が向上する。また、中央の片部が腕部を形成するものであれば、爪片の数を増すことで、周方向の回転に対する安定性を向上させることができる。
【００２２】
爪片が尖端部を備えていれば、鉄筋の周方向への回転を規制する力を一点に集中させることができる。
【発明を実施するための最良の形態】
【００２３】
図１〜４に、本発明にかかる第一の鉄筋支持具の具体例を示す。図１は同鉄筋支持具の概観を示し、（ａ）は同鉄筋支持具単体の斜視図、（ｂ）はスペーサに取り付けられ腕部に鉄筋が嵌め込まれた状態の斜視図である。図２は同鉄筋支持具の使用状態を示す側面図である。図３は同鉄筋支持具の使用状態を示す平面図である。図４は同鉄筋支持具の製作用に切り込みが入れられた鉄板の平面図である。
【００２４】
この鉄筋支持具は、型枠１１と鉄筋１２の間隔を保つためのスペーサ１３に取り付けられるもので、鉄筋１２の外周に弾着し鉄筋１２を径方向に挟み込むための腕部１と、腕部１と反対方向に湾曲しスペーサ１３の外周に適合する定着部２とを有する。定着部２は、切込みにより形成されて腕部１方向へ起立した爪片３を有し、爪片３は、腕部１による鉄筋１２の係合仮想曲面Ｓの内側に入り込んでいる。
【００２５】
この鉄筋支持具によれば、定着部２における湾曲部分２ａ、２ａの弾性力を利用してスペーサ１３に取り付けた状態とした後、腕部１に鉄筋１２を嵌めその腕部１で鉄筋１２を挟むことにより、鉄筋１２を支持することができる。この際、鉄筋１２の外周面は、腕部１による鉄筋１２の係合仮想曲面Ｓと一致するため、その係合仮想曲面Ｓの内側に入り込んでいる爪片３は鉄筋１２の外周面に弾着することになる。そのため、鉄筋１２の径方向（図２の矢線Ｐ）への動きは腕部１と爪片３で、また鉄筋１２の周方向（図３の矢線Ｑ）への回転は爪片３で規制され、鉄筋１２を安定した状態で支持することができる。また、鉄筋１２の回転を防止する爪片３は、鉄筋１２の支持に直接関与しない定着部２に形成されるため、その形状に制限はなく、しかも切込みにより簡単に形成することができる。従って、この鉄筋支持具は、鉄筋１２と型枠１１の間隔を保つスペーサ１３に取り付けられ、鉄筋１２の回転を防止し安定した状態で支持することができるものでありながら、複雑な工程を要することなく、極めて容易に製造できる。
【００２６】
鉄筋１２は、表面にリブ１４を有している。
この場合、爪片３はこのリブ１４に係合するので、鉄筋１２の回転をより効果的に規制できる。
【００２７】
この鉄筋固定具は、図４に示すように、鉄板に切込みを入れ、切込みにより形成した各片部を所定の形状に曲げることで容易に製造することができる。なお、爪片３は、一組の短辺の一つが定着部２と連結した矩形となっているが、爪片３の形状に制限はなく、三角形等、その他の形状であってもよい。特に、爪片３が尖端部を備えていれば、鉄筋の周方向への回転を規制する力を一点に集中させることができる。
【００２８】
腕部１は対をなし、定着部２を挟んで、鉄筋１２の長手方向に間隔を開けて配置されている。
この場合、長手方向に離れた二点Ａ、Ｂで鉄筋１２を挟持できる。そのため、一方の挟持点、例えばＡを中心とする回転（図２の矢線Ｒ）が、他方の挟持点Ｂにおいて鉄筋１２を挟持する腕部１ｂで規制され、一点で挟持する場合よりも、挟持点を中心とする回転に対する安定性が向上する。
【００２９】
図５は、本発明にかかる第一の鉄筋支持具の他の具体例を示す斜視図である。なお、上記具体例と実質的に同一の部分には同符号を付し、同様の説明は省略するものとする。
【００３０】
この鉄筋支持具の定着部２は対をなし、腕部１を挟んで、鉄筋１２の長手方向に間隔を開けて配置されている。
この場合、スペーサ１３を二点で挟持することができるとともに、爪片３の数を増すことができる。そのため、スペーサ１３に関しては上記具体例で説明したのと同様に挟持点を中心とする回転方向への動きに対する安定性が向上し、鉄筋１２に関しては周方向の回転に対する安定性を向上させることができる。なお、固定部２を対にすると鉄筋１２を一点で挟持することになるが、腕部１が鉄筋１２の長手方向に長いものとされており、挟持点を中心とする回転に対する安定性は維持されている。
【００３１】
図６及び図７に、本発明にかかる第二の鉄筋支持具の具体例を示す。図６は同鉄筋支持具の概観を示し、（ａ）は同鉄筋支持具単体の斜視図、（ｂ）は腕部に鉄筋が嵌め込まれた状態の斜視図である。図７は同鉄筋支持具の製作用に切り込みが入れられた鉄板の平面図である。なお、上記具体例が同時に示される場合は、上記具体例において使用した符号と同一の符号を付し、同様の説明は省略するものとする。
【００３２】
この鉄筋支持具は、交差する鉄筋１２、１５を支持するもので、本体部２０の表側に、第一の鉄筋１２の外周に弾着し第一の鉄筋１２を径方向に挟み込む第一の腕部２１を、本体部２０の裏側に、第二の鉄筋１５の外周に弾着し第二の鉄筋１５を径方向に挟み込む第二の腕部２２を有する。また、本体部２０は、切込みにより形成されて、第一の腕部２１方向へ起立した第一の爪片２３と、第二の腕部２２方向へ起立した第二の爪片２４を有する。第一の爪片２３は、第一の腕部２１による第一の鉄筋１２の係合仮想曲面Ｓ１の内側に入り込んでおり、第二の爪片２４は、第二の腕部２１による第二の鉄筋１２の係合仮想曲面Ｓ２の内側に入り込んでいる。更に、第一の鉄筋１２の係合仮想曲面Ｓ１と第二の鉄筋１５の係合仮想曲面Ｓ２は交差する位置関係にある
【００３３】
この鉄筋支持具によれば、本体部２０の表及び裏の両側にそれぞれ形成された第一の腕部２１及び第二の腕部２２に鉄筋１２、１５を嵌め、それら腕部２１、２２で鉄筋１２、１５を挟むことにより、交差する鉄筋１２、１５を支持することができる。この際、第一及び第二の鉄筋１２、１５の外周面は、腕部２１、２２による係合仮想曲面Ｓ１及びＳ２とそれぞれ一致するため、それら係合仮想曲面Ｓ１、Ｓ２の内側に入り込んでいる第一及び第二の爪片２３、２４はそれぞれ第一及び第二の鉄筋１２、１５の外周面に弾着することになる。そのため、鉄筋１２、１５の径方向への動きは腕部２１、２２と爪片２２、２３で、また鉄筋１２、１５の周方向への回転は爪片２３、２４で規制され、鉄筋１２、１５を安定した状態で支持することができる。また、鉄筋１２、１５の回転を防止する爪片２３、２４は、腕部２１、２２とは別に独自に本体部２０から起立させたものであるため、形状に制限はなく、しかも切込みにより簡単に形成することができる。従って、この鉄筋支持具は、交差する鉄筋の回転を防止し安定した状態で支持することができるものでありながら、複雑な工程を要することなく、極めて容易に製造できる。
【００３４】
この鉄筋固定具は、図７に示すように、本体部２０外周に周方向９０度間隔で設けた各突出部２５を切込みにより分割し、複数の片部２５ａ、２５ｂ、２５ｃを形成し、これら片部２５ａ、２５ｂ、２５ｃを起立させ、腕部２１、２２及び爪片２３、２４とすることで容易に製造することができる。また、複数の片部２５ａ、２５ｂ、２５ｃを三片とすることで、安定な支持に必要最小限の構成とすることができる。
【００３５】
三片の片部２５ａ、２５ｂ、２５ｃのうち、中央の片部２５ｂが爪片２３、２４を形成している。
この場合、腕部２１又は２２のそれぞれが対をなし、爪片２３又は２４を挟んで鉄筋１２又は１５の長手方向に間隔を開けて配置され、長手方向に離れた二点で鉄筋１２及び１５を挟持できる。そのため、上記のように、一点で挟持する場合よりも、挟持点を中心とする回転に対する安定性が向上する。
【００３６】
なお、三片の片部２５ａ、２５ｂ、２５ｃのうち、中央の片部２５ｂで、腕部２１、２２を形成してもよい。この場合、爪片２３、２４の数を増すことができるため、周方向の回転に対する安定性を向上させることができる。
【００３７】
爪片２３、２４は矩形となっているが、爪片２３、２４の形状に制限はなく、三角形等、その他の形状であってもよい。爪片２３、２４が尖端部を備えていれば、鉄筋の周方向への回転を規制する力を一点に集中させることができることは既述の通りである。
【００３８】
第一の腕部２１の自由端は折り返されており、スペーサ１３の凹部に適合する形状となっている。
この場合、第一の鉄筋１２のスペーサ１３に支持されている部位に嵌めることができる。そして、第一の鉄筋１２を介してスペーサ１３を利用することにより、第二の鉄筋１５と型枠の間隔を保つことができる。
【図面の簡単な説明】
【００３９】
【図１】本発明にかかる第一の鉄筋支持具の具体例を示し、（ａ）は同鉄筋支持具単体の斜視図、（ｂ）はスペーサに取り付けられ腕部に鉄筋が嵌め込まれた状態の斜視図である。
【図２】同鉄筋支持具の使用状態を示す側面図である。
【図３】同鉄筋支持具の使用状態を示す平面図である。
【図４】同鉄筋支持具の製作用に切り込みが入れられた鉄板の平面図である。
【図５】本発明にかかる鉄筋支持具の他の具体例を示す斜視図である。
【図６】本発明にかかる第二の鉄筋支持具の具体例を示し、（ａ）は同鉄筋支持具単体の斜視図、（ｂ）は腕部に鉄筋が嵌め込まれた状態の斜視図である。
【図７】同鉄筋支持具の製作用に切り込みが入れられた鉄板の平面図である。
【符号の説明】
【００４０】
１、２１、２２  腕部
２    定着部
３、２３、２４  爪片
１１  型枠
１２、１５  鉄筋
１３  スペーサ
２０  本体部
２５  突出部
２５ａ、２５ｂ、２５ｃ  片部
Ｓ、Ｓ１、Ｓ２    係合仮想曲面
【図１】
2006070430.tif 000003
【図２】
2006070430.tif 000004
【図３】
2006070430.tif 000005
【図４】
2006070430.tif 000006
【図５】
2006070430.tif 000007
【図６】
2006070430.tif 000008
【図７】
2006070430.tif 000009